(57)【要約】      （修正有）【課題】エプロンカバーＡを巻取り装置Ｂの動力を利用し直接巻取り装置Ｂに巻取り駆動した場合、巻取り時に金属音が発生する事や巻取り装置Ｂが故障した場合は、エプロンカバーＡ及び巻取り装置Ｂの両者の取り外しを必要とし交換に於いて多大な時間を要していた。本考案は、省スペース化およびメンテナンス性の向上した駆動装置を提供する。【解決手段】断面、略長方型の両側部に円形の窪み１−ａ１を有する複数の金属ブロック１−ａを、前記窪み部に合致した突出部１−ｂ１を両側部に有するダンベル状のゴム弾性体１−ｂで連結して成るエプロンカバーＡを駆動させる如くコイルバネ・板バネ・若しくはモーター等を動力として用いた巻取り装置Ｂにゴム状弾性体をコーティングして成る織物、繊維織物、樹脂フィルム・繊維線又は金属製シート及び金属線から成る接続部品Ｄを設け連結し形状を成したエプロンカバー駆動装置。【選択図】図４
0003123957.tif 000002
【実用新案登録請求の範囲】
【請求項１】
断面、略長方型の両側部に円形の窪み１−ａ１を有する複数の金属ブロック１−ａを、前記窪み部に合致した突出部１−ｂ１を両側部に有するダンベル状のゴム弾性体１−ｂで連結して成るエプロンカバーＡを駆動させる如くコイルバネ・板バネ・若しくはモーター等を動力として用いた巻取り装置Ｂにゴム状弾性体をコーティングして成る織物、繊維織物、樹脂フィルム・繊維線又は金属製シート及び金属線から成る接続部品Ｄを設け連結し形状を成した事を特徴とするエプロンカバー駆動装置。
【請求項２】
断面、略長方型の両側部に円形の窪み１−ａ１を有する複数の金属ブロック１−ａを、前記窪み部に合致した突出部１−ｂ１を両側部に有するダンベル状のゴム弾性体１−ｂで連結して成るエプロンカバーＡを駆動させる如くエプロンカバーＡの対面にコイルバネ・板バネ・若しくはモーター等を動力として用いた巻取り装置Ｂにゴム状弾性体をコーティングして成る織物、繊維織物、樹脂フィルム・繊維線又は金属製シート及び金属線から成る接続部品Ｄを連結し、対面に巻取り装置Ｂを設けた事を特徴とするエプロンカバー駆動装置。
【考案の詳細な説明】
【技術分野】
【０００１】  本考案は、主として工作機械の保護カバー、その他一般産業機械の保護カバーとして活用するものに関する。
【背景技術】
【０００２】  従来、断面、略長方型の両側部に円形の窪み１−ａ１を有する複数の金属ブロック１−ａを、前記窪み部に合致した突出部１−ｂ１を両側部に有するダンベル状のゴム弾性体１−ｂで連結して成るエプロンカバーＡを駆動させる際、図２に示す様に巻取り装置Ｂを使用しエプロンカバーＡを巻取り装置Ｂの動力を利用し直接巻取り装置Ｂに巻取り駆動させていた。前記、エプロンカバーＡについては実用新案番号  第３０６８４５５号、エプロンカバーＡを巻取り装置Ｂにて駆動させる機構として実用新案番号  第３０９８８７４号を本出願者は考案している。【０００３】  しかしながら、エプロンカバーＡを巻取り装置Ｂの動力を利用し直接巻取り装置Ｂに巻取り駆動した場合、巻取り時に金属音が発生する事や巻取り装置Ｂが故障した場合は、エプロンカバーＡ及び巻取り装置Ｂの両者の取り外しを必要とし交換に於いて多大な時間を要していた。又、巻取り装置ＢへエプロンカバーＡを直接巻取り収納した際には、エプロンカバーＡの巻取り時の最大外径が大きくなりスペース的な問題も考慮する必要があった。【０００４】  工作機械にエプロンカバーＡを設置した場合、多くは図３に示す様な設置方法が一般的であるが、構造上、左右のエプロンカバーＡを同時に加速させる為、連結冶具Ｃを必要とし、駆動スペースの確保や取付時の位置出しに問題があり近年のコンパクトな工作機械ではスペース的にも苦慮する部分が多く問題を有していた。
【考案の開示】
【考案が解決しようとする課題】
【０００５】  工作機械及びその他一般産業用機械は、時代ニーズに沿って省スペースを確保すべく、コンパクト化が図られている。それに伴い、保護カバーもコンパクトかつ故障時の交換が容易な保護カバーの開発が必要であった。
【課題を解決するための手段】
【０００６】  かかる欠点を解消するため本考案者は鋭意改良を重ね、巻取り装置Ｂにゴム状弾性体をコーティングして成る織物、繊維織物、樹脂フィルム・繊維線又は金属製シート及び金属線から成る接続部品Ｄを設け連結し形状を成した画期的な方法により、問題を解決すると共に実用上優れた性能を発揮する駆動装置を開発した。その内容について以下、図面に沿って説明する。
【実施例】
【０００７】  請求項１及び請求項２に記載のエプロンカバーＡの組付け図を図１に示す。図４、図５、図６に本考案の主体となすエプロンカバー駆動装置の斜視図を示す。【０００８】  請求項１及び請求項２に記載のエプロンカバーＡ図１に於いて、断面、略長方型の両側部に円形の窪み１−ａ１を有する複数の金属ブロック１−ａを、前記窪み部に合致した突出部１−ｂ１を両側部に有するダンベル状のゴム弾性体１−ｂで連結して成るエプロンカバーＡを示す。【０００９】  エプロンカバーＡを駆動させる如くコイルバネ・板バネ・若しくはモーター等を動力として用いた巻取り装置Ｂにゴム状弾性体をコーティングして成る織物、繊維織物、樹脂フィルム・繊維線又は金属製シート及び金属線から成る接続部品Ｄ（実施例では、ゴム状弾性体をコーティングして成る繊維織物を使用した）を中継しエプロンカバーＡを駆動させる事を特徴とするエプロンカバー駆動装置。【００１０】  次に、請求項１の組立方法について図４により説明する。先ず、コイルバネ・板バネ・若しくはモーター等を動力として用いた巻取り装置Ｂにゴム状弾性体をコーティングして成る織物、繊維織物、樹脂フィルム・繊維線又は金属製シート及び金属線から成る接続部品Ｄの一方を接着又はボルト・リベット等を用いて係止し、もう一方をエプロンカバーＡと接着又はボルト・リベット等を用いて係止する事によって形状を成す、エプロンカバー駆動装置。【００１１】  又、図６に示す様に接続部品Ｄと係止していないエプロンカバーＡの一方を移動体若しくは機械の一部に固定し、１対のエプロンカバー駆動装置を用いて形状を成す、エプロンカバー駆動装置。【００１２】  次に、請求項２の組立方法について図５により説明する。エプロンカバーＡの対面にゴム状弾性体をコーティングして成る織物、繊維織物、樹脂フィルム・繊維線又は金属製シート及び金属線から成る接続部品Ｄの一方を接着又はボルト・リベット等を用いて係止し、それぞれの接続部品Ｄの一方にコイルバネ・板バネ・若しくはモーター等を動力として用いた巻取り装置Ｂを設置させ、対面に巻取り装置Ｂを設けた事を特徴とするエプロンカバー駆動装置。
【考案の効果】
【００１３】  本考案により、巻取り時に発生する金属音の解消は勿論、故障時のメンテナンスも考慮した軽量かつシンプルなエプロンカバー駆動装置の製作に成功した。特に請求項２で示す対面に巻取り装置Ｂを設けた事を特徴とするエプロンカバー駆動装置では、連結冶具Ｃを使用せずとも左右のエプロンカバーＡにテンションを加えた状態での同時加速が可能となり駆動スペースの省スペース化に寄与出来、社内の作動試験に於いても、優れた結果となった。
【図面の簡単な説明】
【図１】  エプロンカバーを示す斜視図である。
【図２】  従来のエプロンカバー巻取り装置Ｂを示す斜視図である。
【図３】  工作機械にエプロンカバーを設置した場合の斜視図である。
【図４】  請求項１に示すエプロンカバー駆動装置の斜視図である。
【図５】  請求項２に示すエプロンカバー駆動装置の斜視図である。
【図６】  請求項１に示すエプロンカバーを１対に設置した場合の駆動装置の斜視図である。
【符号の説明】
Ａ        エプロンカバー
Ｂ        巻取り装置
Ｃ        連結冶具
Ｄ        接続部品
１−ａ    金属ブロック
１−ａ１  円形の窪み
１−ｂ    ダンベル状のゴム弾性体
１−ｂ１  突出部
【図１】
0003123957.tif 000003
【図２】
0003123957.tif 000004
【図３】
0003123957.tif 000005
【図４】
0003123957.tif 000006
【図５】
0003123957.tif 000007
【図６】
0003123957.tif 000008